(57)【要約】【課題】この発明は、家庭パーティ等で使用される趣向に富むマジック切断刀玩具の提供にある。【解決手段】上部にハンドルを接続したスライダーを左右に所要の間隔で併設し、その一方のスライダーにＬ形切断刀の中間屈曲部を軸支し、かつそのＬ形切断刀の上半部が縦向き姿勢時にスライダーの支持面に連接して下半部に下方から受ける応力で回動しないように設け、横向きとなった上半部に下方からの応力で上方に回動して縦向きになるマジック切断刀装置玩具。【選択図】        図４
2004230045.tif 000002
【特許請求の範囲】
【請求項１】
上部にハンドルを接続したスライダーにＬ形切断刀の中間屈曲部を軸支し、かつそのＬ形切断刀の上半部が縦向き姿勢時にスライダーの支持面に連接して下半部に下方から受ける応力で回動しないように設け、横向きとなった上半部に下方からの応力で上方に回動して縦向きになるマジック切断刀玩具。
【請求項２】
上部にハンドルを接続したスライダーを左右に所要の間隔で併設し、その一方のスライダーにＬ形切断刀の中間屈曲部を軸支し、かつそのＬ形切断刀の上半部が縦向き姿勢時にスライダーの支持面に連接して下半部に下方から受ける応力で回動しないように設け、横向きとなった上半部に下方からの応力で上方に回動して縦向きになるマジック切断刀玩具。
【請求項３】
スライダーを上下にスライド自在に配備する支持体は、下方に試し切断孔、上方に切断物孔を開口し、Ｌ形切断刀の下半部を横向き状態で前記試し切断孔に対応し、Ｌ形切断刀の上半部を横向き状態で前記切断物孔に上方から対応させる請求項１または請求項２のマジック切断刀玩具。
【請求項４】
左右スライダーの両側縁にはダミー切断刀を突設し、支持体の両側面より外方へ突出し、ハンドル操作で上下に昇降してなる請求項１、請求項２または請求項３のマジック切断刀玩具。
【請求項５】
支持体は、ダミー切断刀の昇降通路の外側を囲んでなる請求項４のマジック切断刀玩具。
【請求項６】
板状支持体に、上下にスライド自在に支承したスライダーにＬ形切断刀の中間折曲部を軸支し、スライダーが下方から上方へ移動するとき、支持体に軸支された可動係合子上の係合突起と、下半部の１側面に設けた連係用突起と、その下半部の横向き上昇時に係合して半回転して縦向きに、上半部を横向きに回動し、降下時に、横向き上半部を切断挿入孔に差入れられた指等に当接してその抵抗で支軸を中心にＬ形切断刀を回動して上半部を縦向きに、下半部の横向きに回動して降下するマジック切断刀玩具。
【発明の詳細な説明】
【０００１】
【発明が属する技術分野】
この発明は、家庭パーティ、その他仲間内の小さなパーティ等で使用され、マジック的要素の強いマジック切断刀玩具に関するものである。
【０００２】
【従来の技術】
従来、マジック切断器玩具は、各種提案されている。
【０００３】
【発明が解決しようとする課題】
前記従来の技術の項で述べたように、マジック切断器玩具は、各種提案されているが、ニーズに適切に対応する娯楽性を具備しているとはいえない。
【０００４】
この発明は、時代のニーズであるスリルあふれる娯楽性を具備し、作動機構の簡略、操作の容易、確実なマジック作動およびコストの低減を目的になされたものである。
【０００５】
【課題を解決するための手段】
上部にハンドルを接続したスライダーにＬ形切断刀の中間屈曲部を軸支し、かつそのＬ形切断刀の上半部が縦向き姿勢時にスライダーの支持面に連接して下半部に下方から受ける応力で回動しないように設け、横向きとなった上半部に下方からの応力で上方に回動して縦向きになるマジック切断刀玩具にある。
【０００６】
上部にハンドルを接続したスライダーを左右に所要の間隔で併設し、その一方のスライダーにＬ形切断刀の中間屈曲部を軸支し、かつそのＬ形切断刀の上半部が縦向き姿勢時にスライダーの支持面に連接して下半部に下方から受ける応力で回動しないように設け、横向きとなった上半部に下方からの応力で上方に回動して縦向きになるマジック切断刀玩具としてもよいものである。
【０００７】
スライダーを上下にスライド自在に配備する支持体は、下方に試し切断孔、上方に切断物孔を開口し、Ｌ形切断刀の下半部を横向き状態で前記試し切断孔に対応し、Ｌ形切断刀の上半部を横向き状態で前記切断物孔に上方から対応させてもよいものである。
【０００８】
左右スライダーの両側縁にはダミー切断刀を突設し、支持体の両側面より外方へ突出し、ハンドル操作で上下に昇降してもよいものである。
【０００９】
支持体は、ダミー切断刀の昇降通路の外側を囲んでもよいものである。
【００１０】
板状支持体に、上下にスライド自在に支承したスライダーにＬ形切断刀の中間折曲部を軸支し、スライダーが下方から上方へ移動するとき、支持体に軸支された可動係合子上の係合突起と、下半部の１側面に設けた連係用突起と、その下半部の横向き上昇時に係合して半回転して縦向きに、上半部を横向きに回動し、降下時に、横向き上半部を切断挿入孔に差入れられた指等に当接してその抵抗で支軸を中心にＬ形切断刀を回動して上半部を縦向きに、下半部の横向きに回動して降下するマジック切断刀玩具としもよいものである。
【００１１】
【発明の実施の形態】
上部にハンドルを接続したスライダーを左右に所要の間隔で併設し、その一方のスライダーにＬ形切断刀の中間屈曲部を軸支し、かつそのＬ形切断刀の上半部が縦向き姿勢時にスライダーの支持面に連接して下半部に下方から受ける応力で回動しないように設け、横向きとなった上半部に下方からの応力で上方に回動して縦向きになるように設け、スライダーを上下にスライド自在に配備する支持体は、下方に試し切断孔、上方に切断物孔を開口し、Ｌ形切断刀の下半部を横向き状態で前記試し切断孔に対応し、Ｌ形切断刀の上半部を横向き状態で前記切断物孔に上方から対応させ、左右スライダーの両側縁にはダミー切断刀を突設し、支持体の両側面より外方へ突出し、ハンドル操作で上下に昇降し、支持体は、ダミー切断刀の昇降通路の外側を囲んでなるマジック切断刀玩具。
【００１２】
【実施例】
以下、この発明のマジック切断刀玩具１を図面に示す実施例により説明すると、支持体２を断面がコ字型の台座２ａと、同じく、断面がコ字型で互いに腹合わせに接合して板状主体２ｂを構成する正面側体２ｂ１と、背面側体２ｂ２とを合成樹脂材により成形し、台座２ａに板状主体２ｂを接続して起立自在の支持体２を構成する。
【００１３】
前記板状主体２ｂを構成する正面側体２ｂ１の内面には左右一対の突状の案内壁３ａ１、３ａ２、３ｂ１、３ｂ２を、背面側体２ｂ２の内面には、左右一対の突状の案内壁４ａ１、４ａ２、４ｂ１、４ｂ２を夫々左右に所要の間隔を存して設け、板状主体２ｂの上端面に開口する案内路５ａ、５ｂを設けている。
【００１４】
前記板状主体２ｂの上端面に開口する案内路５ａ、５ｂに嵌挿する左右スライダー部６ａ、６ｂおよびその上端を下面に接続するハンドル部７を、同じく、合成樹脂材により成形し、成形後一体に設けている。なお、同時に左右スライダー部６ａ、６ｂとハンドル部７を同時に成形してもよいものである。
【００１５】
前記一方側の左スライダー６ａの左スライダー下半部６ａ１に切断刀取付スリット８を、下端面６ａ２および内側面６ａ３に開口して設け、左スライダー下半部６ａ１の取付スリット８に一部を収容したＬ形切断刀９の中間折曲部９ａを支軸１０によって回動自在に支承し、かつＬ形切断刀９の上半部９ｂを左スライダー下半部６ａ１の取付スリット８に縦向きに収容自在に設けている。
【００１６】
前記Ｌ形切断刀９の上半部９ｂの背面９ｂ１を左スライダー部６ａの下半部６ａ１の取付スリット８に縦向きに連接したとき、Ｌ形切断刀９の下半部９ｃは横向きに回動して下方からの荷重に対して上半部９ｂの背面９ｂ１を左スライダー部６ａの下半部６ａ１の取付スリット８の内璧面８ｂに連接するから支承されて回動することがなく、その状態を維持する。
【００１７】
前記板状主体２ｂの案内路５ａ、５ｂの下端の間に刃物台１１を配備し、前記左スライダー部６ａのＬ形切断刀９が支軸１０を中心に回動したとき、そのＬ形切断刀９の下半部９ｃの背面９ｃ１を前記刃物台１１に連接するように設けている。
【００１８】
前記取付スリット８の内側開口縁８ｂよりの上下および横に所要巾を狭く形成して弾圧支持部１２を設け、前記Ｌ形切断刀９の上半部９ｂが取付スリット８に縦向きに収容連接したとき、その状態を維持するように構成している。
【００１９】
前記板状主体２ｂの前後面において、前記左スライダー部６ａに軸支したＬ形切断刀９の昇降通路上の下部に試し片切断孔１３と、同じく、昇降通路上の上部に切断物挿入孔１４を夫々貫通して開口している。前記試し片切断孔１３は、この遊戯に参加する者の指が入らない程度の大きさが望ましく、これに反して、前記切断物挿入孔１４は、参加する者の指が充分に入る程度の大きさで形成する。
【００２０】
前記Ｌ形切断刀９の下半部９ｃの一方の側面９ｃ２の適所に連係用突起１５を一体に突設し、また、前記板状主体部２ｂの前後間に前記切断部挿入孔１４の内径面１４ａを構成する軸管部１６を一体に形成し、その軸管部１６の外径面１６ａに、軸回りに回動自在に、前記Ｌ形切断刀９の下半部９ｃの連係用突起１５と対応する一側面１７ａに突合突起１８を設けた追従板１７を支承し、この追従板１７をバネ１９により弾圧し、その一部が背面側体２ｂ２の案内壁４ａ２に当接して所定位置に復帰するように設け、左スライダー部６ａの昇降で最下位からＬ形切断刀９の下半部９ｃが横になって上昇するとき、その下半部９ｃの連係用突起１５と追従板１７の突合突起１８を突合させてＬ形切断刀９を、支軸１０を中心に回動し、図４において実線の位置から仮線位置に回動し、Ｌ形切断刀９の下半部９ｃが切断物挿入孔１４を横断して通過しないように構成し、最上位置ではＬ形切断刀９の上半部９ｂの先端が板状主体２ｂの天井壁部２０に衝突し、Ｌ形切断刀９の上半部９ｂは斜めに回動しているからその先端を天井壁部２０に接触し、そのまま天井壁部２０をスライドして支軸１０を中心に全体を回動し、Ｌ形切断刀９の上半部９ｂを横向きに、下半部９ｃを縦向きに回動して天井壁部２０に上半部９ｂを衝突し、全体の上昇を停止するものである。
【００２１】
２１ａ、２１ｂは左右ダミー切断刀で、左右スライダー部６ａ、６ｂの下端外側面から外方に突設している。そして板状主体２ｂの左右側面に設けた左右昇降用スリット２２ａ、２２ｂから外方に突出している。
【００２２】
２３ａ、２３ｂは左右安全壁部で、板状主体２ｂの左右側面をＬ形に囲んでいる。そして前記は左右ダミー切断刀２１ａ、２１ｂの昇降時に手が触れないようにするものである。
【００２３】
この発明のマジック切断刀玩具１は、前述のように構成されるものであるから、図４に示す状態からハンドル部７を持って左右スライダー部６ａ、６ｂを昇降させると、Ｌ形切断刀９は、左右ダミー切断刀２１ａ、２１ｂを含めて試し片切断孔１３を上下し、試し片切断孔１３内に挿入される紙片等に切断力を加え、ハンドル部７からその感触を得ることができるものである。
【００２４】
また、ハンドル部７を引き上げて、Ｌ形切断刀９を上昇させることができ、上方の切断物挿入孔１４を越えて最上位に上昇させ、それからハンドル部７を押し下げると、切断物挿入孔１４をＬ形切断刀９が通過することを視認することができるものである。
【００２５】
また、Ｌ形切断刀９は、最下位から上昇する過程で、前記のように、その下半部９ｃの連係用突起１５を追従板１７の突合突起１８に突合させて、Ｌ形切断刀９を、支軸１０を中心に回動し、下半部９ｃを、切断物挿入孔１４を横断することなく通過し、最上位ではＬ形切断刀９の上半部９ｂを横向きに、下半部９ｃを縦向きに回動して天井壁部２０に切断刀上半部９ｂを衝突しているから、その最上位から降下すると、切断物挿入孔１４に差し込ませた指にはＬ形切断刀９の上半部９ｂが横向きに当り、Ｌ形切断刀９は支軸１０を中心に回動して切断力を加えることがなく通過するものである。
【００２６】
【発明の効果】
この発明のマジック切断刀玩具は、ギロチンのスリルを体験することができ、極めて趣向に富むものである。
【００２７】
よって、ホームパーティ等での余興用の娯楽用具して効果のあるものである。
【図面の簡単な説明】
【図１】この発明のマジック切断刀玩具の正面斜視図である。
【図２】同じく、正面図である。
【図３】同じく、背面図である。
【図４】同じく、正面外殻を外し一部を切り欠き断面し、ギロチン刃の支持構造および作動状態を説明する断面説明図である。
【図５】図４のＢ−Ｂ線にそう端面図である。
【図６】同じく、昇降スライダーおよびギロチン刃の軸支構造を示す部分説明斜視図である。
【図７】ギロチン刃単体の斜視図である。
【図８】図６のＣ−Ｃ線に沿う断面図である。
【符号の説明】
１  マジック切断刀玩具
２  支持体
２ａ  台座
２ｂ  板状主体
２ｂ１  正面側体
２ｂ２  背面側体
３ａ１  案内壁
３ａ２  案内壁
３ｂ１  案内壁
３ｂ２  案内壁
４ａ１  案内壁
４ａ２  案内壁
４ｂ１  案内壁
４ｂ２  案内壁
５ａ  案内路
５ｂ  案内路
６ａ  左スライダー部
６ａ１  下半部
６ａ２  下端面
６ａ３  内側面
６ｂ  右スライダー部
７  ハンドル部
８  取付スリット
８ａ  内側開口縁
８ｂ  内壁面
９  Ｌ形切断刀
９ａ  中間折曲部
９ｂ  上半部
９ｂ１  背面
９ｃ  下半部
９ｃ１  背面
９ｃ２  側面
１０  支軸
１１  刃物台
１２  弾圧支持部
１３  試し片切断孔
１４  切断物挿入孔
１４ａ内径面
１５  連係用突起
１６  軸管部
１６ａ  外径面
１７  追従板
１７ａ  一側面
１８  突合突起
１９  バネ
２０  天井壁部
２１ａ  左ダミー切断刀
２１ｂ  右ダミー切断刀
２２ａ  左昇降用スリット
２２ｂ  右昇降用スリット
２３ａ  左安全壁部
２３ｂ  右安全壁部
【図１】
2004230045.tif 000003
【図２】
2004230045.tif 000004
【図３】
2004230045.tif 000005
【図４】
2004230045.tif 000006
【図５】
2004230045.tif 000007
【図６】
2004230045.tif 000008
【図７】
2004230045.tif 000009
【図８】
2004230045.tif 000010